(57)【要約】【課題】既存の軒樋吊具や軒樋を軒先から取り外さずに、吊り下げ物を吊持する引掛けフック部材を既存の軒樋吊具に対して、後付けで、容易に取り付け可能とする。【解決手段】軒樋２を支持する軒樋吊具１は、鼻板４に固定される鼻板固定部５と、鼻板固定部５の上端側に設けた係合部７と、鼻板固定部５から前方Ｆに突設されて鼻板固定部５と軒樋２との互いに対向する面の間に隙間Ｇが生じるように、軒樋２を支持する軒樋支持腕部６とを備えた軒樋吊具１である。引掛けフック部材３は、前記隙間Ｇに挿入可能な挿入部３ａと、挿入部３ａの上端側に設けられて前記鼻板固定部５の前記係合部７に引掛け係合可能な被係合部８と、挿入部３ａの下端側に設けられてすだれ等の吊り下げ物を吊持するフック部９とを備えている。【選択図】図１
2011246960.tif 000002
【特許請求の範囲】
【請求項１】
軒樋を支持する軒樋吊具が軒先の鼻板に固定され、この軒樋吊具に対して吊り下げ物を吊持する引掛けフック部材を取り付け可能とした軒樋吊具の構造であって、前記軒樋吊具は、前記鼻板に固定される鼻板固定部と、この鼻板固定部の上端側に設けられる係合部と、前記鼻板固定部から前方に突設されて前記鼻板固定部と前記軒樋との互いに対向する面の間に隙間が生じるようにして前記軒樋を支持する軒樋支持腕部とを備えており、前記引掛けフック部材は、前記隙間に挿入可能な挿入部と、この挿入部の上端側に設けられて前記鼻板固定部の前記係合部に引掛け係合可能な被係合部と、前記挿入部の下端側に設けられて前記吊り下げ物を吊持可能とするフック部とを備えていることを特徴とする軒樋吊具の構造。
【発明の詳細な説明】
【技術分野】
【０００１】
本発明は、軒樋を支持する軒樋吊具の構造に関し、詳しくは、軒下空間に配置されるすだれ等の吊り下げ物を吊持するための引掛けフック部材を軒樋吊具に取り付ける構造に関するものである。
【背景技術】
【０００２】
軒先に固定される軒樋の真下、或いは、軒樋吊具の直下の空間を利用して、すだれ、物干し竿などの吊り下げ物を配置しようとする試みが行われている。通常、吊り下げ物は鼻板や軒天井材に取り付けたフック具に引っ掛けるなどして吊持されているが、フック具が大掛かりなものであったりした場合には、軒先の外観に現出されたフック具によって建物の外観イメージを悪くするという問題があった。
【０００３】
そこで、従来から、図７（ａ）（ｂ）に示すようなフック部２６を備えた介装板２２が知られている（例えば、特許文献１参照）。介装板２２の左右両側には上下に長い縦長穴２３がそれぞれ穿設されており、この介装板２２を軒樋吊具１´の鼻板固定部２１の裏面と鼻板４の前面との間に挟んだ状態（図７（ａ）の状態）で、ねじ２５を鼻板固定部２１に穿設した貫通穴２４と介装板２２の縦長穴２３とを貫通して鼻板４に打入することで、軒樋吊具１´と介装板２２とを鼻板４に固定している。その後、軒樋吊具１´の鼻板固定部２１の前方Ｆに突設した軒樋支持腕部２０により軒樋２を吊持するようにし、介装板２２の下端部に設けたフック部２６に、すだれ１６等の吊り下げ物を吊持するようにしている（図７（ｂ）の状態）。
【先行技術文献】
【特許文献】
【０００４】
【特許文献１】特開２００９−１９４０６号公報
【発明の概要】
【発明が解決しようとする課題】
【０００５】
ところが、上記特許文献１に示される従来例にあっては、フック部２６付き介装板２２を鼻板４と軒樋吊具1´との間に挟み込んで押さえつける形で、ねじ２５で固定しなければならない。このとき、片方の手で介装板２２がずれないようにして、しっかりと軒樋吊具1´を鼻板４に押さえつけながら、もう片方の手でドリル等でねじ２５を締め付けなければならない。しかも、ねじ２５を締結する際にも、ドリル等でねじ２５を打ち付ける瞬間にねじ２５を下に落としてしまう場合があるなど、取り付け作業がしづらいという問題がある。
【０００６】
さらに軒樋２の施工後に、介装板２２を取り付ける場合にあっては、一度、軒先に取り付けた既存の軒樋２や軒樋吊具1´を鼻板４から取り外してから、介装板２２を取り付ける必要がある。このため、新築或いは雨樋を全部取り替えるリフォーム時以外では介装板２２の取り付け作業が大掛かりとなり、コストアップを招くという問題がある。
【０００７】
本発明は上記の事情に鑑みてなされたものであって、その目的とするところは、既存の軒樋吊具や軒樋を軒先から取り外さずに、吊り下げ物を吊持する引掛けフック部材を既存の軒樋吊具に対して、後付けで、容易に取り付け可能とした軒樋吊具の構造を提供することにある。
【課題を解決するための手段】
【０００８】
前記の課題を解決するために、本発明は、軒樋を支持する軒樋吊具が軒先の鼻板に固定され、この軒樋吊具に対して吊り下げ物を吊持する引掛けフック部材を取り付け可能とした軒樋吊具の構造であって、前記軒樋吊具は、前記鼻板に固定される鼻板固定部と、この鼻板固定部の上端側に設けられる係合部と、前記鼻板固定部から前方に突設されて前記鼻板固定部と前記軒樋との互いに対向する面の間に隙間が生じるようにして前記軒樋を支持する軒樋支持腕部とを備えており、前記引掛けフック部材は、前記隙間に挿入可能な挿入部と、この挿入部の上端側に設けられて前記鼻板固定部の係合部に引掛け係合可能な被係合部と、前記挿入部の下端部に設けられて前記吊り下げ物を吊持可能とするフック部とを備えていることを特徴とするものである。
【発明の効果】
【０００９】
本発明は、既存の軒樋吊具や軒樋を軒先から取り外さずに、吊り下げ物を吊持する引掛けフック部材を既存の軒樋吊具に対して、後付けで、容易に取り付け可能となるものである。
【図面の簡単な説明】
【００１０】
【図１】（ａ）（ｂ）は本発明の一実施形態の引掛けフック部材を既存の軒樋吊具に取り付ける場合の作業手順を説明する側面断面図である。
【図２】（ａ）図１（ａ）の前方から見た斜視図、（ｂ）は図１（ａ）の後方から見た斜視図である。
【図３】（ａ）は図１（ｂ）の前方から見た斜視図、（ｂ）は図１（ｂ）の後方から見た斜視図である。
【図４】同上の鼻板固定部の上端に設けた係合部（引掛け凹み部）の説明図であり、（ａ）は前方から見た斜視図、（ｂ）は後方から見た斜視図、（ｂ）は係合部付近の要部斜視図である。
【図５】（ａ）は同上の引掛けフック部材の斜視図であり、（ｂ）は（ａ）の被係合部付近の拡大図である。
【図６】（ａ）は同上の軒樋吊具に引掛けフック部材と軒樋とをそれぞれ取り付けた状態を示し、（ｂ）は軒樋の前方から見た正面図である。
【図７】（ａ）は従来例のフック部付き介装板の取り付け前の斜視図であり、（ｂ）は取り付け後の側面断面図である。
【発明を実施するための形態】
【００１１】
以下、本発明の実施の形態について、図面を参照しながら説明する。
【００１２】
住宅の軒先には、その軒長さ方向に沿って軒樋２が配置される。
【００１３】
軒樋２は、図１に示すように、前壁２ａと後壁２ｂと底壁２ｃとから成り、前壁２ａの上端部には軒樋２の内部側に折れ曲がる前耳部１０が設けられ、後壁２ｂの上端部には軒樋２の内部側に折れ曲がる後耳部１１が設けられている。
【００１４】
軒樋２は、鼻板４の前面に取り付けた軒樋吊具１によって支持される。
【００１５】
軒樋吊具１は、鼻板４の前面に固定される板状の鼻板固定部５と、この鼻板固定部５の前面５ａの中央上部から前方Ｆに向けてアーム状に突設された軒樋支持腕部６とを有して構成されている。鼻板固定部５の前面５ａの中央下部には、軒樋２の後壁２ｂを支持するリブ１５が突設されている。
【００１６】
軒樋吊具１の鼻板固定部５の左右両側には、図２に示すように、上下複数の貫通穴１４がそれぞれ穿設されている。鼻板固定部５の裏面５ｂを鼻板４（図１）の前面に当てた状態で、各貫通穴１４に前方Ｆからねじ２５（図７参照）を挿通して鼻板４に打入することで、鼻板固定部５が鼻板４に対して固定される。
【００１７】
鼻板固定部５の上端面５ｃの左右両側には、上方Ａに開放された左右一対の係合部７が設けられている。各係合部７は、図４に示すように、平面視矩形状に開口した引掛け凹み部７ａからなる。
【００１８】
一方、図１に示す軒樋支持腕部６の前方Ｆの先端部には、軒樋２の前耳部１０を係止するための前耳係止部１２が設けられており、後方Ｂの後端部には、軒樋２の後耳部１１を係止するための後耳係止部１３が設けられている。
【００１９】
この軒樋支持腕部６は、軒樋２の後壁２ｂと鼻板固定部５の前面５ａとの間に所定の隙間Ｇが生じるようにして、軒樋２を支持するものである。隙間Ｇは上下方向にそれぞれ開放されている。本例の隙間Ｇは、鼻板固定部５の左右両側部分とこれに対向する軒樋２の後壁２ｂの左右両側部分との間に、それぞれ、設けられている。
【００２０】
本例の引掛けフック部材３は、図５に示すように、横片３ｃと垂下片３ｄとからなるＴ字形状の垂下腕部３ｂと、横片３ｃの両端からそれぞれ上方Ａに起立した左右一対の挿入部３ａとが一体に構成されている。左右の挿入部３ａの上端には、それぞれ、被係合部８が設けられている。各被係合部８は、挿入部３ａの上端から後方Ｂ（図１（ａ））に向けて逆Ｕ字状に折り返された引掛け部８ａからなる。この引掛け部８ａの先端８ｂは先細のテーパー形状となっており、鼻板固定部５の上端面５ｃに設けた引掛け凹み部７ａ（図４）に対して上方Ａから引掛け挿入される。本例では、被係合部８を引掛け凹み部７ａに引掛け挿入しやすくするために、引掛け凹み部７ａの内周縁７ｂ（図４（ｃ））が全周に亘って面取りされている。
【００２１】
ここで、上記引掛けフック部材３の左右の挿入部３ａ,３ａは、上記左右の隙間Ｇ（図１）に挿入可能な厚みとされる。この挿入部３ａ間の横方向Ｐの間隔Ｈ（図２（ａ））は、軒樋支持腕部６の横方向Ｐの厚みＱ（図２（ａ））よりも幅広とされる（Ｑ＜Ｈ）。さらに上記間隔Ｈは、鼻板固定部５を鼻板４に固定しているねじ２５（図７参照）のねじ頭と挿入部３ａとが干渉しないように、左右の貫通穴１４間の距離Ｌ（図２（ｂ））よりも短く設定される（Ｈ＜Ｌ）。これにより、左右の挿入部３ａを、軒樋２と鼻板固定部５間の左右の隙間Ｇにスムーズに差し込み可能となっている。また本例では、左右の挿入部３ａの上下長さＲ（図２（ａ））は、鼻板固定部５の上下長さＳ（図２（ａ））よりも長くなっている（Ｓ＜Ｒ）。これにより、垂下腕部３ｂを鼻板固定部５よりも下方に位置させた状態で、左右の挿入部３ａの上端の各引掛け部８ａを鼻板固定部５の上端の左右の引掛け凹み部７ａに引掛け係合可能となる。
【００２２】
垂下腕部３ｂの垂下片３ｄの下端部には、側面視Ｊ字状のフック部９が設けられており、このフック部９には、すだれ１６（図７参照）や物干し竿等の吊り下げ物が吊持可能とされる。
【００２３】
次に、上記引掛けフック部材３の取り付け手順を説明する。
【００２４】
引掛けフック部材３の取り付けは、軒先に固定されている既存の軒樋吊具１や軒樋２を取り外さないで行う。具体的には、垂下腕部３ｂを手で持って、左右の挿入部３ａを軒樋２の後壁２ｂと鼻板固定部５の前面５ａ間の左右の隙間Ｇ内に挿入する（図１（ａ）、図２（ａ）の状態）。そして、引掛け部８ａを引掛け凹み部７ａよりも上方Ａに位置させた状態（図２（ａ）（ｂ）の状態）で、引掛け部８ａを引掛け凹み部７ａに引掛け挿入する（図１（ｂ）、図３（ａ）（ｂ）の状態）。これにより、引掛けフック部材３が鼻板固定部５に対して係合される。このとき、垂下腕部３ｂのフック部９は軒樋２の底壁２ｃよりも下方に突出配置されており（図６（ａ）（ｂ）の状態）、すだれ１６（図7参照）や物干し竿等の吊り下げ物をフック部９に吊持可能となる。
【００２５】
しかして、上記構成によれば、軒先に取り付けられている既存の軒樋吊具１や軒樋２を鼻板４から取り外さないで、引掛けフック部材３を既存の軒樋吊具１に対して、後付けで、容易に取り付けることができる。従って、新築時や雨樋を全部取り替えるようなリフォーム時に限らず、取り付けたいときにはいつでも、簡単に取り付けることができる。しかも、従来のように既存の軒樋や軒樋吊具を取り外さなくて済むので、引掛けフック部材３の取り付け作業が大掛かりとならず、コストを低減できる。
【００２６】
しかも、軒樋吊具１に対して引掛けフック部材３を引掛け係合方式で取り付けるので、従来のようなドリル等によるねじ締結が不要となり、また締結時にねじを落としてしまうなどの不具合も生じないものである。
【００２７】
さらに、引掛けフック部材３の取り付け完了後は、垂下腕部３ｂのフック部９だけが軒樋２の底壁２ｃから下方に突出配置され、引掛けフック部材３のほぼ全体が軒樋２の背後に収納されて外部から見えなくなる。しかも、すだれ１６を吊り下げる場合は、フック部９に紐やワイヤーを引掛けるだけの簡単な作業で済む。これにより、住宅外観を損なうことなく、軒樋吊具１に要求される良好な美観を確保しながら、軒下空間を有効に活用できるものとなる。
【００２８】
一方、引掛けフック部材３を取り外す場合は、フック部９を手で上に持ち上げるだけで、挿入部３ａ上端の引掛け部８ａが鼻板固定部５上端の引掛け凹み部７ａから離脱させることができ（図１（ａ）、図２（ａ）（ｂ）の状態）、取り外しも簡単にできる利点もある。
【００２９】
また鼻板固定部５に引掛け凹み部７ａを備えたものであれば、どの種類の軒樋吊具１に対しても引掛けフック部材３が後付けで取り付けることができる。
【００３０】
前記実施形態では、鼻板固定部５の係合部７として上方Ａに開口した引掛け凹み部７ａを例示したが、これに限らず、例えば上方Ａに突出した凸リブ等であってもよく、要は引掛けフック部材３の引掛け部８ａを外れないように引掛け係合できるものであればよい。
【００３１】
また、吊り下げ物として、すだれや、物干し竿を例示したが、これ以外に、例えば、店舗での看板や電飾、一般住宅では例えばクリスマスシーズンの電飾などの季節の飾り付けや、小さなプランター等のように、軒下空間に吊り下げるもの全般に広く適用できるものである。
【符号の説明】
【００３２】
１  軒樋吊具
２  軒樋
３  引掛けフック部材
３ａ  挿入部
４  鼻板
５  鼻板固定部
６  軒樋支持腕部
７  係合部
８  被係合部
９  フック部
Ｂ  後方
Ｆ  前方
Ｇ  隙間
【図１】
2011246960.tif 000003
【図２】
2011246960.tif 000004
【図３】
2011246960.tif 000005
【図４】
2011246960.tif 000006
【図５】
2011246960.tif 000007
【図６】
2011246960.tif 000008
【図７】
2011246960.tif 000009